(57)【特許請求の範囲】
【請求項１】
携帯式消火銃（Ｌ）であって、
第１のノズル取り付け部材（６）と、第１のノズル取り付け部材（６）に取り付けられる第２のノズル取り付け部材（１）を備え、
第１のノズル取り付け部材（６）には第１の方向に消火液を噴出する少なくとも１つの第１のノズル（４）が取り付られ、
第２のノズル取り付け部材（１）には第１の方向とは異なる方向に消火液を噴出する少なくとも１つの第２のノズル（９、１３）が取り付けられ、
第２のノズル取り付け部材（１）が、第１のノズル取り付け部材（６）を周囲するように環状を成して、第１のノズル取り付け部材（６）に着脱自在に装着され、
各消火ノズル（４，９，１３）は消火液供給管と連結され、バルブ組み合わせ（Ｖ）を通して個々に、および／または、グループ毎に、選択的に、消火液噴霧を噴出可能である、
ことを特徴とする消火銃。
【請求項２】
第１のノズル（４）は第１のノズル取り付け部材（６）の中央に配置されて、第１のノズル（４）が消火液を噴出する第１の方向は本体の長手方向の前方であって、
第２のノズルは、第１の方向に略直角な側方方向に消火液を噴出する側方噴出のノズル（１３）と、第１の方向と第１の方向に直角な方向の中間の斜め前方方向に消火液を噴出する斜方噴出のノズル（９）とを含んでいる、
ことを特徴とする請求項１に記載の消火銃。
【請求項３】
第２のノズル取り付け部材（１）は、側方を向いた円筒状の面と、斜め前方を向いた切頭円錐状の面とを有し、
側方噴出のノズル（１３）は側方を向いた円筒状の面に直角に長手方向から見て等しい角度間隔で複数取り付けられ、
斜方噴出のノズル（９）は斜め前方を向いた切頭円錐状の面に直角に長手方向から見て等しい角度間隔で複数取り付けられている、
ことを特徴とする請求項２に記載の消火銃。
【請求項４】
第１の消火ノズル（４）は、第２のノズル取り付け部材（１）の前端面（２）から奥まった位置から消火液を噴出する、ことを特徴とする請求項１に記載の消火銃。
【請求項５】
第２の消火ノズル（９，１３）の長手方向位置と第１の消火ノズル（４）の長手方向位置とが、略等しくされている、ことを特徴とする請求項１に記載の消火銃。
【発明の詳細な説明】
本発明は、供給管と連結可能な消火ノズルを装備した消火ノズルヘッドを有する携帯式消火銃に関する。この種類の消火銃は、消火ノズルを通して消火液を火元に吹き込む定置式または可動式消火装置に用いられる。
冒頭に記載した種類の消火銃は、合衆国特許ＵＳ３７０４８３１に記載されている。公知の銃ではノズルヘッドは、ヘッドが回ると端面に配置されたノズル開口部が消火液供給管の出口開口部と重なることができるように回転可能に配置されている。このように構成することによって、それぞれノズルの１つから消火剤噴流が出る。
公知の消火銃では、消火液は比較的高い運動エネルギーで出る。そのような消火液噴流を用いる長所は、消火液噴流を大きい射程距離で火災区域に届かせることができる点である。このように構成することにより、特に消火装置を操作する消防士が負傷する危険は少なくなる。このことを可能にするために、火を消すために常に必要な大量の消火剤によって引き起こされる損害は、従来はやむをえないものとして受け入れられてきた。
上述した公知の消火銃のほかに、国際出願ＷＯ９４／２５１１２には、円錐状に形成された外側傾斜面に消火ノズルを配置した定置式消火ノズルホルダーが知られている。消火ノズルホルダーをこのように構成する長所は、消火ノズルを通して比較的大きい容積を短時間に消火液でカバーすることができる点にある。
大量の消火液を火元に導入する従来の消火方法のほかに、火を消すために液噴霧を使うことが知られている。このような液噴霧を火元の周囲に吹き入れることによって、火元を包囲している気体の温度を低下させる。同時に燃焼プロセスに必要な酵素が火災周囲から排除される。温度が低下し、酸素が排除されることによって、火災は最後には窒息する。この場合、液噴霧で消火するその他の特別の長所は、消火に少量の液体しか必要とされない点である。
本発明の目的は、冒頭に記載した種類の消火銃を改善して、液噴霧の効果を向上させるとともに消火に必要な液量を減らすことである。
上記目的を達成するために本発明の消火銃は、消火ノズルヘッドの解放された正面に幾つかの消火ノズルが互いに離れて配置されており、各々の消火ノズルは消火液を供給すると消火液噴霧を生み出し、消火ノズルは組み合わせバルブを通して個々に、および／またはグループ毎に消火液を供給できるようになっている。
本発明により、中央のメインノズルの代わりに、またはこれに加えて、微細に分布した消火噴霧を生み出すその他の消火ノズルを設けることができる。使用例に応じて別の種類と組成の噴霧を作り出すことができる幾つかの消火ノズル、消火ノズルの数、消火ノズルのその都度の運転方式、消火ノズルに消火液を供給する仕方、消火ノズルヘッド上の消火ノズルの位置決めの選択により、特別の品質の消火噴霧を作り出すことが可能である。この消火噴霧は、とりわけその中に含まれた個々の霧滴の種類と大きさの点で最適に組成されている。
さらに、本発明による消火銃により、作り出された消火噴霧の種類と組成を消火作業中に、消火の進展につれて変化する要求に合わせることが可能になる。このことは、消火ノズルヘッドの消火ノズルに個々に、および／またはグループ毎に消火液を供給できることによって達成される。このように構成することによって、たとえば非常に多様な液滴からなる消火噴霧を作り出すために種々の消火ノズルの組み合わせを利用できる。また、たとえば、消火開始時に室温をできるだけ急速に低下させるという観点で、非常に微細に分布した唯一の形態の液滴からなる消火噴霧を作り出すことも可能である。次に、消火が進展したら、追加ノズルを開いてこの微細な噴霧により大きい液滴を添加して、たとえば火点に直接散布することもできる。
使用例に応じて、幾つかの消火ノズルを１直線上に並べて配置することができる。こうすると、大きい面積にわたって均一な消火噴霧の噴出が所望される場合に好都合であり得る。あるいは、または追加的に、ノズルを円弧の外周線上または閉じた円上に配置することもできる。
正面に配置された消火ノズルのほかに、必要に応じて短時間で比較的大量の消火剤を散布できる追加のメインノズルが設けられている場合は、ノズルが配置されている円または円弧の中心が、中央に配置されたこのメインノズルの中心と一致することが好都合である。
消火噴霧の均一な分布は、幾つかの消火ノズルが互いに規則的な等間隔で配置されていることによっても達成される。
消火銃の簡単な保守という観点で好適な構成は、消火ノズルヘッドが支持ユニットに取り外し可能に固定されていることを特徴とする。
消火噴霧をできるだけ大きい空間に急速に散布することは、少なくとも特定数の消火ノズルが、消火ノズルヘッドの前部端面の後方斜めに下がった面部分上に配置されていることによって促進される。ある容積を満たすことができる速度は、消火ノズルヘッドが、さらに少なくとも１つの消火ノズルを配置した側面を有することによっても高めることができる。
本発明のその他の好ましい構成は、従属請求項および以下の例の説明に記載されている。
以下、本発明の実施例を図面に基づいて詳細に説明する。
図１は、消火ノズルヘッドの正面図である。
図２は、一部省略した消火銃の縦断面図である。
図２に示す携帯式消火銃は、回転対称形に構成されていて正面Ｓに端面２が形成された消火ノズルヘッド１を有する。端面２の中心には、中央消火ノズル４を収容するへこみ部３が設けられている。中央消火ノズル４は、支持ユニット６のねじ穴５にねじ込まれている。
ねじ穴５は第１の供給管７と連結して、携帯式消火銃ＬのケーシングパイプＲに固定されている。
端面２には、前部端面２から後方に角度α下がった円錐形の面部分８が全周に形成されている。この面部分８上には、第２の供給管１０と連結した消火ノズル９が配置されている。消火ノズル９は互いに規則的な角間隔（β）で、中央消火ノズル４の開口部４ａと同心円をなす円Ｋ上に配置されている。供給管１０に圧力を加えると、消火ノズル９は、個々の液滴が小さい容積で微細に分布して消火ノズル９のノズル開口部９ａから火元周囲に噴出する消火噴霧を発生する。消火ノズル９は簡単に交換できるように、第２の供給管１０と連結したねじ穴１１に取り外し可能にねじ込まれている。
消火ノズルヘッド１の正面Ｓの面部分８には、半径方向全周に側面１２が続いている。側面１２には、その他の消火ノズル１３が互いに規則的な等間隔
0003792719.tif 000002
で配置されている。これらの消火ノズル１３には、図示されない第３の供給管によって圧力を加えることができる。消火ノズルヘッド１３もねじ穴１４に取り外し可能にはめ込まれており、摩耗すれば簡単に交換できる。
消火ノズル９には、第２の供給管１０を通して消火液をグループとして共通に供給できる。消火ノズル１３も、図示されない第３の供給管を通して消火液が共通に供給される。このことによって、中央消火ノズル４、消火ノズル９のグループおよび消火ノズル１３のグループは、それぞれ互いに独立に消火液を供給できる。
消火ノズル９，１３の２つのグループと中央消火ノズル４を互いに種々に組み合わせて使用することもできる。これを可能にするために、詳細に説明されないバルブＶ組み合わせが設けられている。２本の供給管７，１０と図示されない第３の供給管とに付属したバルブＶ組み合わせの流出管路は、傾斜孔を設けたスペーサ２０を通して、２本の供給管７，１０および図示されない第３の供給管と連結している。スペーサ２０を用いることにより、バルブ組み合わせのバルブケーシングを簡単に構成し、同時に供給管７，１０および第３の供給管の配置構成を、容積ができるだけ小さくなるように選択することが可能である。
【図１】
0003792719.tif 000003
【図２】
0003792719.tif 000004